(57)【特許請求の範囲】
【請求項１】
一対の側面板(1)、底面板(2)及び天面板(3)で商品を包み込み、側面板(1)の両端から延びる端フラップ(5a)と、底面板(2)及び天面板(3)の両端から延びる端フラップ(5b)を順次折り曲げて貼り合わせ、側面板(1)と端フラップ(5a,5b)から周壁(12)を形成し、側面板(1)から端フラップ(5a)に至る切裂帯(6)により周壁(12)を切断して上部を除去し、残存したトレー体(14)から商品を露出させて開梱陳列するラップラウンド式の包装陳列箱において、前記側面板(1)に、切裂帯(6)の摘み部(6a)から上端へ至る２本の切目線(7a)と、その終端間に亘る切目線(7b)を入れて、切目線(7a,7b)の内側に切裂帯(6)の位置から上方へ突出する立上片(8)を設け、図柄を立上片(8)の上端及び側面板(1)の下端で途切れるように印刷しておき、立上片(8)の外側の摘み部(6a)から切裂帯(6)を引っ張って側面板(1)及び端フラップ(5a)を切断すると共に、切目線(7a,7b)に沿って側面板(1)を切断し、立上片(8)の部分以外で切裂帯(6)より上方の部分を除去するように開梱したトレー体(14)の段積み陳列状態で、下段側の立上片(8)の図柄と、上段側の側面板(1)の図柄とが連続して見えるようにしたことを特徴とする包装陳列箱。
【発明の詳細な説明】
【技術分野】
【０００１】
この発明は、商品の物流用包装及び店頭での陳列に使用し、販売促進用の印刷を施した包装陳列箱に関するものである。
【背景技術】
【０００２】
従来、下記特許文献１には、周壁を切裂帯により切断して上部を除去し、残存したトレー体から商品を露出させて開梱陳列する包装陳列箱において、周壁の側面板に商品の外観を表す図柄を印刷しておき、上部を除去した開梱陳列時に、トレー体の側面板の図柄と商品とが連続して見えるようにしたものが記載されている。
【０００３】
【特許文献１】特開２００４−２３１２５５号公報
【発明の開示】
【発明が解決しようとする課題】
【０００４】
しかしながら、上記のような包装陳列箱では、段積みして開梱陳列する際、上下の箱に連続性が感じられず、消費者への訴求効果があまり高くないという問題がある。
【０００５】
そこで、この発明は、段積み陳列時に連続性を強調して、消費者への訴求力を高められる包装陳列箱を提供することを課題とする。
【課題を解決するための手段】
【０００６】
上記課題を解決するため、この発明は、一対の側面板、底面板及び天面板で商品を包み込み、側面板の両端から延びる端フラップと、底面板及び天面板の両端から延びる端フラップを順次折り曲げて貼り合わせ、側面板と端フラップから周壁を形成し、側面板から端フラップに至る切裂帯により周壁を切断して上部を除去し、残存したトレー体から商品を露出させて開梱陳列するラップラウンド式の包装陳列箱において、前記側面板に、切裂帯の摘み部から上端へ至る２本の切目線と、その終端間に亘る切目線を入れて、切目線の内側に切裂帯の位置から上方へ突出する立上片を設け、図柄を立上片の上端及び側面板の下端で途切れるように印刷しておき、立上片の外側の摘み部から切裂帯を引っ張って側面板及び端フラップを切断すると共に、切目線に沿って側面板を切断し、立上片の部分以外で切裂帯より上方の部分を除去するように開梱したトレー体の段積み陳列状態で、下段側の立上片の図柄と、上段側の側面板の図柄とが連続して見えるようにしたのである。
【発明の効果】
【０００７】
この包装陳列箱では、周壁を切裂帯及び切目線により切断して上部を除去し、開梱したトレー体を段積みして陳列する際、切裂帯の位置から上方へ突出する立上片の印刷により図柄が上下方向に連続するようにしたので、箱の連続性が強調され、消費者への訴求力が高められる。
【発明を実施するための最良の形態】
【０００８】
まず、この発明の第１実施形態を図１乃至図５に基づいて説明する。
【０００９】
図１に示すように、この包装陳列箱は、商品であるビールの缶Ｃの包装に使用されるラップラウンド式の段ボール箱であり、店頭での陳列時には、複数段積み上げ、そのうち最上段から数段のものを開梱した状態で陳列することを想定したものである。
【００１０】
この包装陳列箱の段ボールブランクでは、図２に示すように、一方の側面板１、底面板２、他方の側面板１及び天面板３が順次連設され、一方の側面板１に継代片４が連設されている。側面板１の両端には端フラップ５ａが、底面板２及び天面板３の両端には端フラップ５ｂがそれぞれ連設されている。
【００１１】
各側面板１及び端フラップ５ａには、切裂帯６として裏面にカットテープが貼着され、その途中に複数個の摘み部６ａが設けられている。摘み部６ａから天面板３及び継代片４へ至る２本の切目線７ａと、これらの切目線７ａの終端間に亘る切目線７ｂの内側には、台形状の立上片８が設けられている。切目線７ａ，７ｂは、鉤形の切目が断続するジッパ型とされている。
【００１２】
また、各側面板１には、少し傾けた缶の外観デザインを、中間部、上角部及び下角部に分割した図柄９ａ，９ｂ，９ｃが印刷されている。図柄９ａ，９ｂ，９ｃは、図柄９ａ，９ｃの上端分割線が切目線７ｂに臨み、図柄９ａ，９ｂの下端分割線が底面板２との境界に臨むように配置されている。
【００１３】
さらに、各側面板１には、組立状態で切裂帯６の下方となる側の一端部に、物流用バーコード１０ａが印刷され、切裂帯６の上方となる側の一端部に、箱売り用バーコード１０ｂが印刷されている。
【００１４】
上記のようなブランクを組み立てて、缶Ｃを梱包する際には、図３に示すように、一対の側面板１、底面板２及び天面板３で缶Ｃを包み込み、継代片４を天面板３の端部裏面に貼り付けて天壁１１を形成し、端フラップ５ａ，５ｂを順次折り曲げて貼り合わせ、側面板１と端フラップ５ａ，５ｂから周壁１２を形成して、封緘箱１３とする。
【００１５】
一方、この包装陳列箱を店頭で複数段積み上げて陳列する際には、最上段及びその下方の段となるものについて、図４に示すように、立上片８の外側の摘み部６ａから切裂帯６を引っ張って、周壁１２の側面板１及び端フラップ５ａを切断する。
【００１６】
次に、切裂帯６により引き裂かれた周壁１２の隙間に手を入れ、切目線７ａ，７ｂの繋部を切断しつつ、切裂帯６の上方部分を引き上げて除去し、図５に示すように、残存したトレー体１４から缶Ｃを露出させる。
【００１７】
そして、図１に示すように、封緘箱１３を複数段積み上げ、その上方にトレー体１４を複数段積み上げると、箱の上部が除去されたトレー体１４の段においても、立上片８の印刷により図柄９ａ，９ｂ，９ｃが上下方向に連続して、箱の連続性が強調され、消費者への訴求力が高められる。
【００１８】
なお、このような訴求効果が必要ない場合には、図５に示すトレー体１４の状態において、立上片８の内側の摘み部６ａから切裂帯６を引っ張ることにより、立上片８を切り取ることもできる。
【００１９】
次に、この発明の第２実施形態を図６乃至図１０に基づいて説明する。
【００２０】
図６に示すように、この包装陳列箱もまた、商品であるビールの缶Ｃの包装に使用されるラップラウンド式の段ボール箱であり、上記第１実施形態とは、側面板１に施された印刷のみ異なるものである。
【００２１】
この包装陳列箱のブランクでは、図７に示すように、各側面板１に、商品の缶の外観と同様のデザインであって、缶Ｃの収納位置に対応した図柄１５が印刷されている。また、分割したロゴマークの上部及び下部の図柄１６ａ，１６ｂが印刷され、図柄１６ａ、１６ｂは、図柄１６ａの上端分割線が切目線７ｂに臨み、図柄１６ｂの下端分割線が底面板２との境界に臨むように配置されている。
【００２２】
上記ブランクを組み立てて、缶Ｃを梱包する際には、図８に示すように、一対の側面板１、底面板２及び天面板３で缶Ｃを包み込み、継代片４を天面板３の端部裏面に貼り付けて天壁１１を形成し、端フラップ５ａ，５ｂを順次折り曲げて貼り合わせ、側面板１と端フラップ５ａ，５ｂから周壁１２を形成して、封緘箱１３とする。
【００２３】
一方、この包装陳列箱を店頭で複数段積み上げて陳列する際には、最上段及びその下方の段となるものについて、図９に示すように、立上片８の外側の摘み部６ａから切裂帯６を引っ張って、周壁１２の側面板１及び端フラップ５ａを切断し、切目線７ａ，７ｂの繋部を切断しつつ、切裂帯６の上方部分を引き上げて除去することにより、図１０に示すように、残存したトレー体１４から缶Ｃを露出させる。
【００２４】
そして、図６に示すように、封緘箱１３を複数段積み上げ、その上方にトレー体１４を複数段積み上げると、箱の上部が除去されたトレー体１４の段においても、側面板１の図柄１５と缶Ｃとが連続して見えるほか、下段の立上片８に印刷された図柄１６ａと、上段の側面板１に印刷された図柄１６ｂとが上下方向に連続して、箱の連続性が強調され、販売促進効果の向上が期待できる。
【図面の簡単な説明】
【００２５】
【図１】第１実施形態に係る包装陳列箱の開梱した段積み陳列状態を示す斜視図
【図２】同上の包装陳列箱のブランクを示す図
【図３】同上の封緘箱とした状態を示す斜視図
【図４】同上の開梱過程を示す斜視図
【図５】同上の開梱状態を示す斜視図
【図６】第２実施形態に係る包装陳列箱の開梱した段積み陳列状態を示す斜視図
【図７】同上の包装陳列箱のブランクを示す図
【図８】同上の封緘箱とした状態を示す斜視図
【図９】同上の開梱過程を示す斜視図
【図１０】同上の開梱状態を示す斜視図
【符号の説明】
【００２６】
１  側面板
２  底面板
３  天面板
４  継代片
５ａ，５ｂ  端フラップ
６  切裂帯
６ａ  摘み部
７ａ，７ｂ  切目線
８  立上片
９ａ，９ｂ，９ｃ  図柄
１０ａ，１０ｂ  バーコード
１１  天壁
１２  周壁
１３  封緘箱
１４  トレー体
１５，１６ａ，１６ｂ  図柄
【図１】
0004792327.tif 000002
【図２】
0004792327.tif 000003
【図３】
0004792327.tif 000004
【図４】
0004792327.tif 000005
【図５】
0004792327.tif 000006
【図６】
0004792327.tif 000007
【図７】
0004792327.tif 000008
【図８】
0004792327.tif 000009
【図９】
0004792327.tif 000010
【図１０】
0004792327.tif 000011